(57)【要約】【課題】面材を取付けるための固定手段を見えにくくすることによりレンジフードの外観を向上させることを目的とする。【解決手段】レンジフード用面材取付け桟１０は、固定手段によって取付け部材に固定される桟本体１１と、面材を受けて保持する面材受け部１２とを有する。また、桟本体１１は、固定手段が挿入する固定手段挿入部１３ａを有するとともに、固定手段挿入部１３ａの付近に、挿入された固定手段を隠蔽する隠蔽部材１５が取り付けられている。【選択図】図６
2008202842.tif 000002
【特許請求の範囲】
【請求項１】
固定手段によって取付け部材に固定される桟本体と、面材を受けて保持する面材受け部とを有するレンジフード用面材取付け桟であって、前記桟本体は、固定手段挿入部を有するとともに、該固定手段挿入部に挿入された前記固定手段を隠蔽する隠蔽部材が取り付けられていることを特徴とするレンジフード用面材取付け桟。
【請求項２】
前記桟本体は前記固定手段挿入部を含む領域に前記隠蔽部材を嵌入させる嵌入部位を有し、前記隠蔽部材が前記嵌入部位に嵌入されることを特徴とする請求項１に記載のレンジフード用面材取付け桟。
【請求項３】
前記隠蔽部材は前記固定手段挿入部を覆う位置で前記桟本体に係止するための係止片を有し、前記桟本体は前記固定手段挿入部の近傍に前記該係止片を挿入させて係止させる挿入孔を有することを特徴とする請求項１又は請求項２に記載のレンジフード用面材取付け桟。
【発明の詳細な説明】
【技術分野】
【０００１】
本発明は、レンジフードのフード上方に面材を取付るためのレンジフード用面材取付け桟に関する。
【背景技術】
【０００２】
一般的なシステムキッチンでは、カウンタにコンロやシンクが配置され、このコンロ上方にレンジフードが配置され、レンジフードの横方にウォールキャビネットが配置されている。ここで、システムキッチン全体の統一感や意匠性を高めるためにウォールキャビネットの扉と同様の化粧面材がフード上方に取付けられることがある。
【０００３】
面材の固定構造として、図１１に示すように、面材を固定金具やルーバー（面材取付け金具）を用いてフード１ａ上方にねじ止めする構造が知られている（例えば、特許文献１参照）。同構造では、面材１ｂに固定されたルーバー１ｃと固定金具１ｄとをねじ止めし、面材１ｂを固定金具１ｄに固定している。
【０００４】
また、図１２に示す幕板取付け構造も知られている。（特許文献２参照）。同構造では、幕板２ａが枠板２ｂと化粧板２ｃとで構成され、枠板２ｂの背面両側部に掛止片２ｄと弾性片２ｅとが取付けられている。さらに、レンジフード２ｆを両側から挟むウォールキャビネットの両側または壁面に掛止片２ｄを掛止する掛止部２ｇと弾性片２ｅを係止する係止部２ｈとが設けられている。ここで、枠板２ｂ下辺部から延出された垂れ片２iにより、幕板２ａ下辺とレンジフード２ｆ上面間の隙間が覆われている。なお、この垂れ片２ｇには通気孔２ｊが開設されている。
【特許文献１】実開平６−５１７３８号公報
【特許文献２】実開平６−５６６３０号公報
【発明の開示】
【発明が解決しようとする課題】
【０００５】
上述した特許文献１記載の技術では、フードと面材との隙間で面材固定金具をねじ止めしたねじの頭部が露出するため、レンジフードの見栄えがよくなかった。
【０００６】
また、特許文献２記載の考案では、幕板は、掛止片と弾性片とで掛止されているだけであって、比較的重量のある幕板を用いる場合には適さない。そのため、比較的重量のある面材を固定するには、特許文献１のようにルーバー等の取付け金具を用いてねじ止めする必要がある。
【０００７】
本発明は、前記課題に鑑みてなされたもので、面材を取付けるための固定手段を見えにくくすることによりレンジフードの外観を向上させることを目的とする。
【課題を解決するための手段】
【０００８】
上記目的を達成するために、本発明のレンジフード用面材取付け桟は、固定手段によって取付け部材に固定される桟本体と、面材を受けて保持する面材受け部とを有するレンジフード用面材取付け桟であって、前記桟本体は、固定手段挿入部を有するとともに、該固定手段挿入部に挿入された前記固定手段を隠蔽する隠蔽部材が取り付けられていることを特徴とする。本レンジフード用面材取付け桟によると、レンジフード用面材取付け桟を固定する固定手段が隠蔽部材で隠蔽されるため、該固定手段は外部から見えない。
【０００９】
ここで、隠蔽部材は前記固定手段を隠蔽するものであればよい。
また、固定手段挿入部を含む領域の前面に隠蔽部材が嵌入する嵌入部位を形成し、嵌入部位に嵌入された隠蔽部材で固定手段を隠蔽するものであってもよい。さらに、隠蔽部材は、係止片を桟本体に形成された挿入孔に係止させて、ねじを隠蔽するものであってもよい。
なお、この明細書でいう、固定手段とは小ねじ・タッピンねじ・ボルト等のねじ部を備えたねじ部品を意味する。また、固定手段挿入部とは、前記したねじ部品が挿通するねじ孔等を意味する。その一例として、固定手段が小ねじである場合は、ねじ止めに使用する「おねじ」の軸部（ねじ山の部分）が通過する孔であって、ねじ外径よりも若干大きい、いわゆる「すきま穴」を意味する。
【発明の効果】
【００１０】
以上説明したように本発明によれば、隠蔽部材が面材を固定するための固定手段を隠蔽するため、レンジフードの外観を良好にすることができる。
また請求項２にかかる発明によれば、隠蔽部材は桟本体に形成された嵌入部位に嵌入して取付けられるため、施工の際に隠蔽部材を取付け易くすることができる。
そして請求項３にかかる発明によれば、隠蔽部材は係止片を用いて桟本体に係止されるため、隠蔽部材を確実に固定することができる。
【発明を実施するための最良の形態】
【００１１】
（１）レンジフード用面材取付け桟の構成 
図１、図２は、本発明の一実施形態に係る面材取付け桟１０を用いたシステムキッチン９０の要部を示している。システムキッチン９０は、食器や調理器具を洗浄するためのシンク９１と調理用コンロ９２とを配置したキッチンカウンター９３と、このキッチンカウンター９３の調理用コンロ９２上方に配置されるレンジフード８０と、レンジフード８０の側方に配置されるウォールキャビネット７０とを設けている。レンジフード８０は、フード８１と送風機ユニット８２とから成り、フード８１の上方かつ、送風機ユニット８２の前方にユーザの嗜好で化粧面材６０が配置される場合がある。
【００１２】
図２に示すように、化粧面材６０は送風機ユニット８２の前方に金具を用いて固定される。化粧面材６０を固定する金具は、ウォールキャビネット７０の側面又はキッチンの壁面にねじ止めされる取付け金具５０、５１と、化粧面材６０の背面上部にねじ止めされるジョイント金具５２と、化粧面材６０の背面下部にねじ止めされる面材取付け桟１０とから成る。化粧面材６０は、ジョイント金具５２を取付け金具５０と係合させるとともに、固定手段としてのねじ部品である小ねじＳ１で面材取付け桟１０を取付け金具５１と締結させることにより、レンジフード８０の送風機ユニット８２の前方に取付けられる。このとき、面材取付け桟１０は、フード８１の上面と化粧面材６０の下端との隙間を隠蔽する。
【００１３】
図３と図４に示すように、面材取付け桟１０は、取付け金具５１にねじ止めされる桟本体１１と、桟本体１１の前面に設けられて化粧面材６０の下側縁部を下から保持する面材受け部１２とで構成されている。桟本体１１は、取付け金具５１にねじ止めするためのねじ孔１３ａを備えている。
【００１４】
面材取付け桟１０は、別体として形成された桟本体１１と面材受け部１２とを所定位置に溶接等で接合することで形成される。桟本体１１は、例えば所定形状に加工されたステンレス板等に、ねじ孔１３ａ、１４を開孔して形成される。面材受け部１２は、例えば所定形状に加工されたステンレス板等を所定形状に曲げ加工して形成される。なお、押出し成形で桟本体１１と面材受け部１２とを一体成形してもよい。
【００１５】
図３に示すように、桟本体１１は、薄い略矩形板状とされている。また、桟本体１１は、その幅Ｗが化粧面材６０の幅と略同一寸法とされ、化粧面材６０の下側縁部を下方から保持する受け面１２ａから桟本体１１の下端までの寸法Ｈ１がほぼ化粧面材６０の下端とレンジフード８０上面との隙間の高さとされている。そのため、桟本体１１は、化粧面材６０下端とレンジフード８０上端との隙間全体をほぼ隠蔽している。また、桟本体１１の幅方向両端には、下部近傍に取付け金具５１に固定するためのねじ孔１３ａと、ねじ孔１３ａの両端に隠蔽部材としてのねじ隠しキャップ１５を係合するための挿入孔１３ｂが形成されている。また、上部近傍に化粧面材６０を固定するためのねじ孔１４が形成されている。なお、化粧面材６０を固定するためのねじ孔１４は、多数形成してもよい。
【００１６】
図４に示すように、面材受け部１２は、前記受け面１２ａと、受け面１２ａの端部縁部から略垂直に所定長だけ延設した枠部１２ｂとを有する。ここで、受け面１２ａは、比較的重い化粧面材６０を受けるため、化粧面材６０の下側縁部を載置して化粧面材６０を下から保持する。また、枠部１２ｂは、受け面１２ａに載置される耐火材２０を前方側から掛止する。受け面１２ａと枠部１２ｂとは、取付け桟本体１１の幅Ｗと略同長の矩形状の薄板を化粧面材６０の厚み分だけ残して短手方向の端部を折り曲げて形成される。このため、図４で受け面１２ａの取付け桟本体１１から枠部１２ｂの内壁側までの寸法Ｄ1は、少なくとも化粧面材６０の厚みより大きくなる。
【００１７】
図５は、図３のＢ１−Ｂ１の位置を断面視して示す水平断面図である。図５（ａ）に示すように、ねじ隠しキャップ１５は、凹部１５ｂを有するキャップ本体１５ａと、このキャップ本体１５ａの背面側から延設した一対の係止片１５ｃとで構成される。凹部１５ｂはねじ孔１３ａを挿通した固定手段としての小ねじＳ１頭部を受容し、キャップ本体１５ａは該小ねじＳ１頭部を覆う形状とされている。係止片１５ｃの外側先端には山形の凸部１５ｃ１が形成されている。
図５の（ｂ）に示すように、ねじ隠しキャップ１５を桟本体１１に係止するときは、挿入孔１３ｂに係止片１５ｃを挿入し、凸部１５c１を挿入孔１３bの周縁部と係止させる。
【００１８】
以上の構成を有する面材取付け桟１０を用いることにより、図５に示すようにして化粧面材６０をレンジフード８０上方に取付ることができる。
まず、図６（ａ）に示すように、ジョイント金具５２を化粧面材６０の背面上部にねじ止めした後、面材取付け桟１０の耐火材２０を敷いた受け面１２ａに化粧面材６０を載置し、面材取付け桟１０の背面側からねじ止めする。次に、ジョイント金具５２から延設したジョイント片５２ａを取付け金具５０の開口５０ａに挿入して、取付け金具５０に係合させる。最後に、図６（ｂ）に示すように、取付け桟本体１１の前側から小ねじＳ１をねじ孔１３ａに挿入し、ドライバーで小ねじＳ１を締め付ける。こうして、面材取付け桟１０が取付け金具５１にねじ止めされ、化粧面材６０がレンジフード８０上方に取付けられる。また、化粧面材６０とレンジフード８０上面とで形成される隙間は面材取付け桟１０で隠蔽される。次に、ねじ隠しキャップ１５の係止片１５ｃを挿入孔１３ｂに挿入して、ねじ隠しキャップ１５を桟本体１１に係止する。
【００１９】
（２）レンジフード用面材取付け桟の作用・効果
以下、図６を参照して、面材取付け桟１０の作用、効果を説明する。
面材取付け桟１０と取付け金具５１とを締結した小ねじＳ１の前方には、桟本体１１と係止したねじ隠しキャップ１５が配置される。このため、小ねじＳ１の頭部はねじ隠しキャップ１５によって隠蔽される。そのため、レンジフード８０と化粧面材６０との隙間がすっきりし、レンジフードの美観が向上する。
【００２０】
（３）変形例
本発明の面材取付け桟は、種々の変形例が考えられる。
本レンジフード用面材取付け桟は、一部又は全部が金属以外のセラミックスなどの不燃材からなる部材とされてもよい。また、レンジフード用取付け桟の両端にねじ止めされたねじ部品の頭を、一本のねじ隠しキャップ１５で隠蔽してもよい。この場合、ねじ隠しキャップ１５の幅は、取付け金具本体１１の幅Ｗと略同寸となる。
また、図７から図１０に示す面材取付け桟１０のように、ねじ孔１３ａ周辺にねじ隠しキャップ１５を嵌入する嵌入部位１７を形成してもよい。嵌入部位１７は、ねじ隠しキャップ１５を嵌入して固定するので、ねじ隠しキャップ１５の位置決めが容易となり、施工の際、ねじ孔１３ａ前方に楽にねじ隠しキャップ１５を取付ることができる。
【００２１】
図７と図８に示す面材取付け桟では、嵌入部位１７は、面材受け部１２の下面と取付け金具本体１１の下端から延設した折部１３ｃとで構成される。折部１３ｃは、取付け金具本体１１の下端を前面側に曲げ加工して形成される。また、面材受け部１２の下面から折部１３ｃの上面までの寸法をねじ隠しキャップ１５の高さＨ２と略同寸とすることで、面材受け部１２の下面と折部１３ｃの上面とでねじ隠しキャップ１５を狭持させることができる。本面材取付け桟１０では、ねじ隠しキャップ１５を固定する部位の構造が簡単であり、容易に製造することができる。
また、取付け金具本体１１の下端に別部品の折部１３ｃを接合して、嵌入部位１７を形成してもよい。この場合、ねじ隠しキャップ１５の高さＨ２に合わせて折部１３ｃの取付け位置を変化させることで、様々なサイズのねじ隠しキャップ１５を嵌入することができる。
【００２２】
図９に示す面材取付け桟では、嵌入部位は、前面側に開口した凹部１８として構成される。ここで、ねじ孔１３ａは、凹部底面１８ａ１に形成される。凹部１８は、内部上面１８ａ２から内部下面１８ａ３までの寸法をねじ隠しキャップ１５の高さＨ２と略同寸とし、嵌入されたねじ隠しキャップ１５を狭持する。
さらに、図１０に示すように、凹部１８の幅を広くし、嵌入するねじ隠しキャップ１５の幅を凹部１８の内幅と略同寸とする一つの部材で形成してもよい。なお、凹部１８は、プレス加工で形成される。本変形例では、嵌入部位を凹部１８という簡易な形状で構成することができる。さらに、ねじ隠しキャップ１５を凹部１８に狭持される簡素な形状で形成することができる。
【００２３】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００２４】
【図１】本発明の一実施形態に係るシステムキッチンを示した斜視図。
【図２】本発明の一実施形態に係るシステムキッチンを示した斜視図。
【図３】面材取付け桟の一例を示す斜視図。
【図４】面材取付け桟の一例を示す垂直断面図。
【図５】面材取付け桟の一例を示す水平断面図。
【図６】面材の取付け構造を示す垂直断面図。
【図７】面材取付け桟の一例を示す斜視図。
【図８】面材取付け桟の一例を示す垂直断面図。
【図９】面材取付け桟の一例を示す斜視図。
【図１０】面材取付け桟の一例を示す斜視図。
【図１１】従来の面材の取付け構造を示す垂直断面図。
【図１２】従来の面材の取付け構造を示す垂直断面図。
【符号の説明】
【００２５】
１０…面材取付け桟、１１…桟本体、１２…面材受け部、１２ａ…受け面、１２ｂ…枠部、１３ａ…ねじ孔、１３ｂ…挿入孔、１３ｃ…折部、１４…ねじ孔、１５…ねじ隠しキャップ、１５ａ…キャップ本体、１５ｂ…凹部、１５ｃ…係止片、１５ｃ１…凸部、１６…孔周縁部、１７…嵌入部位、１８…凹部、１８ａ…凹部開口、１８ａ１…底、２０…耐火材、５０、５１…取付け金具、５０ａ…開口、５２…ジョイント金具、５２ａ…弾性力ジョイント片、６０…化粧面材、７０…ウォールキャビネット、８０…レンジフード、８１…フード、８２…送風機ユニット、９０…システムキッチン、Ｓ１…小ねじ
【図１】
2008202842.tif 000003
【図２】
2008202842.tif 000004
【図３】
2008202842.tif 000005
【図４】
2008202842.tif 000006
【図５】
2008202842.tif 000007
【図６】
2008202842.tif 000008
【図７】
2008202842.tif 000009
【図８】
2008202842.tif 000010
【図９】
2008202842.tif 000011
【図１０】
2008202842.tif 000012
【図１１】
2008202842.tif 000013
【図１２】
2008202842.tif 000014